(57)【要約】      （修正有）【課題】本発明は、車のヘッドライトの光を反射装置により方向を変え、車周辺の遠方や車の側面周辺の照明として利用する照明装置を提供する。【解決手段】車のヘッドライト反射装置において、車のヘッドライトの光源照射方向の前方側に位置させて、該ヘッドライトの光源を反射させる反射面が、平面、凹面、凸面に変形可能な反射部材１を配置し、該反射部材１で車のヘッドライトが照らす光源照射方向と異なる方向に反射させて車周辺の遠方を照らすサーチライト照明や車の側面周辺を拡散光として照らす。【選択図】図２
2020136238.tif 000002
【特許請求の範囲】
【請求項１】
車のヘッドライトの光源照射方向の前方側に位置させて、該ヘッドライトの光源を反射させる反射面が平面、凹面、凸面に自在に変形可能な反射部材を配置し、該反射部材の反射面の偏向姿勢を変向固定自在に構成し、該反射部材で車のヘッドライトが照らす光源照射方向と異なる任意方向に光源を反射誘導して車の遠方及び周辺を照らすことを特徴とする車のヘッドライト反射装置。
【請求項２】
反射装置を構成する反射部材と該反射部材を支持する支持体を設置するに、支持体に固定した着脱が容易な吸盤で車体に固定して使用することを特徴とする請求項１に記載の車のヘッドライト反射装置。
【請求項３】
支持体が自在に変形可能で任意位置固定できることを特徴とする請求項２に記載の車のヘッドライト反射装置。
【発明の詳細な説明】
【技術分野】
【０００１】
本発明は、夜間における災害発生の緊急時の状況確認や避難用途、または救助作業、野外宿営時や野外での夜間イベント時に、車周辺の夜間照明を得る手段として、車のヘッドライトの光を反射装置により方向を変え、車周辺の遠方のサーチライト照明や車の側面周辺で行う作業の照明として利用する反射装置に関するものである。
【背景技術】
【０００２】
夜間における災害発生の緊急時の状況確認や避難用途、または救助作業、野外宿営時や野外での夜間イベント時に、車周辺の照明や遠方の確認ができるサーチライト照明あるいは夜間作業が可能な照明や仮設テントが必要とされる。通常、サーチライト照明や夜間作業が可能な光量を確保できる照明装置は大きな電力が必要であり、近くの電源からコードリールで確保するか、または専用の動力発電機を利用して得ることができる。携帯型のランタンや懐中電灯では、夜間作業が行えるほどの光量は確保できない。
【０００３】
しかしながら、災害発生時には停電になることが多く、また野外においては周辺に電源がない場合が多い。専用の発電機の場合、高価であったり使用しない場合に燃料を抜くなどのメンテナンスが必要であったり、重量物で搬送が容易に行えないなどの問題があり、常備できない場合が多い。
さらに、車で照明装置や発電機を運ぶには、積載量が多くなり車内の荷物スペースを大きくとることになり、大型トラックなどの専用車が必要になる。特に、大地震や大津波また竜巻などの自然災害が発生した場合は、広範囲の地域で停電になるが、大災害がいつ発生するか想定ができないため、事前に大量の夜間照明を準備することはできない。夜間の災害緊急時に大きな明かりを必要とされる時間は、災害発生時の状況確認や待機すべきか避難すべきかの判断または避難場所での体制が整うまでに3時間程度は必要と想定される。しかしながら、突然の停電が発生した場合、実際には非常用として備えている懐中電灯やろうそくなどの光量が小さいものしか活用できるものはなく、夜間時の災害状況確認や避難道の照明確保や避難場所での照明対策など、具体的かつ効果的な照明確保の対応策はないといっても過言ではない。
【０００４】
一方、現代は車社会で、多くの人が車を通勤や経済活動で活用している。車には、光量の大きなヘッドライトが２つあり、どのような状況でもいつでも点灯するように整備されている。これを緊急災害時に活用できるならば、有効な照明確保の手段になりうる。昨今は、大容量のバッテリーを搭載した電気自動車やプラグインハイブリッドなどの排気ガスを出さないまた騒音レベルが小さい車が増えており、車を停止しアイドリング状態でヘッドライトを点灯させても環境への影響も小さく、車のヘッドライトの活用は、注目されてきている。しかしながら、ヘッドライトの光は、車の走行時に運転者から見た目線で、300メートル以内で人の高さ程度の障害物を明確に認識できる明るさの照射機能が求められているが、ヘッドライトの光の方向を変えるには車の方向転換が必要であり、角度を変更するには車体の前輪または後輪を持ち上げなければならず、さまざまな照明用途の活用には不向きである。
【０００５】
このような従来状況を加味して本発明の背景技術を検討するに、前照灯の光路を反射板で変更させて集魚灯に利用するものが特許文献１に示され、車の側面やステージ荷台を照明するものが特許文献２、３に示されている。また、反射部材を固定する架台を組んで前照灯の光路を該反射部材で変更させて災害時や野外宿営時に利用するものが特許文献４、５に示されている。
【先行技術文献】
【特許文献】
【０００６】
【特許文献１】登録実用新案公報第３０５８１５０号公報
【特許文献２】特開２００６−１１７２１４号公報
【特許文献３】特開平７−２６６９７５号公報
【特許文献４】特開２０１５−１７０５６６号公報
【特許文献５】特開２０１６−００９６０９号公報
【発明の概要】
【発明が解決しようとする課題】
【０００７】
特許文献１のものは、車両前照灯の光路変更装置に係るもので前照灯の前方に反射板を置いて前方斜め方向下部に照明光路を変更させて夜間の集魚灯に活用しようとするものである。しかし車の周辺を照明しようとする目的課題は有していないものである。特許文献２に示すものは、夜間または暗部における後退操作時の自動車用照明装置に関するもので後退操作時に車の側面を照明する専用のライト装置を具備するものである。特許文献３のものは、ステージカーに関するものでトラック荷台部を開放して専用の照明装置でステージを照明するものである。これら特許文献２、３には前照灯の光を反射装置を利用して車の周辺を照明しようとする目的課題は有していないものである。
また、特許文献４、５は、反射部材で前照灯を反射させて光路を変更可能にして災害時や外宿営時や車体周辺の夜間照明に活用するものであるが、反射部材を架台に固定して使用するものであり、前照灯と反射部材の位置を最大光量に調整するに架台もしくは車体を微妙に移動させて調整する必要が生じ、適正な反射位置や反射角度を見つけるに時間を要する。また、集中光と拡散光との切り替えをするに反射部材を取り替える必要があり、時間がかかるという課題がある。
【課題を解決するための手段】
【０００８】
本発明は、前述の課題解決のために、第一に、車のヘッドライトの光源照射方向の前方側に位置させて、該ヘッドライトの光源を、１台の反射部材で集中光あるいは拡散光になるよう変更可能に反射させる反射部材を配置し、該反射部材の反射面の偏向姿勢を変向固定自在に構成し、該反射部材で車のヘッドライトが照らす光源照射方向と異なる任意方向に光源を反射誘導して車の遠方及び周辺を照らすことを特徴とする車のヘッドライト反射装置を構成したものである。これにより、本発明は、特別の発電機や照明装置を備えることなしに、車のヘッドライトの光を反射装置により１台の反射部材の反射面を平面、凹面、凸面に変更可能とし、ヘッドライトの光をそのまま反射させる全反射光、拡散光、集中光の選択を容易に実現できる上、所望する任意方向に屈折させ、車の周辺に導く方法を示したものである。また、本発明の装置は軽量コンパクトに構成できるものであり車での搬送時に車載物資を軽減させ、車に常備させることができるものである。
【０００９】
第二に、反射部材の設置方法について、反射部材を支える支持体を車体に固定するに脱着が容易な吸盤を使用し、該支持体を吸盤に取り付け、該吸盤により車体の一部に固定するように構成した。これにより反射部材、支持体、吸盤からなる反射装置の設置が容易になり設置時間が短時間で終る。
【００１０】
第三に、反射部材を支える支持体を自在に変形可能で任意固定できる支持体で構成することで、ヘッドライトに対する反射部材の位置や角度を適正に調整するに、反射部材を自由に動かすことができ、且つ任意の位置で固定可能にできることで調整作業を短時間で終ることができる。
【発明の効果】
【００１１】
本発明は、発電機や照明装置なしに、車のヘッドライトの光を反射装置により屈折させ、車の周辺に導く方法を示したもので、車のヘッドライトの直前に反射装置がくるように設置しヘッドライトの光の向きを車の側面方向に向けることで車側面周辺を明るく照らすことができる利点がある他、車周辺の遠方を確認するサーチライトとしての機能を提供できる利点がある。また、反射装置による光の質を、反射部材の反射面を平面、凹面、凸面に変形させることでヘッドライトの光をそのまま反射させる全反射光、集中光、拡散光と目的とする照射対象物に応じて選択することを容易に実現できる。さらに、反射装置の設置を吸盤を使用することで簡単に車体の一部に取り付けできる他、反射部材の支持体を自在に変形可能で任意位置に固定できることにより、反射部材を容易且つ短時間に適正位置や適正角度に調整できる効果がある。
【図面の簡単な説明】
【００１２】
【図１】（ａ）は、反射部材の反射面が凹面形状の場合の反射特性を示した図である。（ｂ）は、反射部材の反射面が凸面形状の場合の反射特性を示した図である。
【図２】（ａ）は、反射部材の背面から見た外観図である。（ｂ）は、反射部材を構成する反射板の断面図である。
【図３】車体に反射装置を取り付けた場合の外観図である。
【発明を実施するための形態】
【００１３】
図１（ａ）、図1（ｂ）を用いて本発明の反射特性を説明する。
【００１４】
図１（ａ）は反射部材の反射面が凹面形状の場合の反射特性を示した図である。
先ず、車のヘッドライトの光１２が凹面形状になった反射部材１の反射面に当たる場合、反射光８は収束するように反射され集中光となる。スポットライトとしての機能があり、サーチライトとして利用することができ、遠方の照射対象物をねらって確実に照明できる他、車周辺での作業時等、手元や作業する場所周辺を集中的に明るくすることができ、安全に作業できる利点がある。
【００１５】
図１（ｂ）は反射部材の反射面が凸面形状の場合の反射特性を示した図である。
車のヘッドライトの光１２が凸面形状になった反射部材１の反射面に当たる場合、反射光９は広角に反射され拡散光となる。広い範囲に反射光９を照射できるので、危険区域の夜間照明や、広範囲の捜索活動に適している。
【００１６】
本発明の反射装置は、１台の反射装置で反射面形状を変更することが可能で、集中光と拡散光を容易に切り替えることができる利点がある。以下、図面を用いて本発明を実施するための形態について実施例で説明する。
【実施例】
【００１７】
１台の反射装置で反射面形状を凹面形状や凸面形状に変更する方法を、図２（ａ）を用いて説明する。
図２（ａ）は、反射部材１の背面から見た外観図である。ターンバックル２を緩めるとボルト３の寸法が伸び、逆にターンバックル２を締めるとボルト３の寸法が短くなるしくみである。反射部材１の中心部と反射部材の左右の端部はターンバックル２で連結されており、ボルト３の寸法が伸びることで反射部材１の左右両端の反射面方向に力が加わる。反射部材１の反射板はプラスチックの板で構成されており、容易に変形可能で、反射部材１は反射面方向に凹面状に変形する。
逆に、ターンバックル２を締めるとボルト３の寸法は短くなり、反射部材１の両端の背面方向に力が加わり反射面が凸面形状に変形する。
【００１８】
反射部材１の左右角度、上下角度は、ボール状継ぎ手５により自在に調整可能で、上下角度、左右角度調整後に固定ネジ４を締め任意固定できる。
【００１９】
反射部材１の反射板はプラスチックの板で構成されており、反射面は鏡面となるように金属蒸着フィルム等反射効率のよい且つ柔軟性のある素材が貼り付けてあり、容易に変形可能である。
【００２０】
図２（ b ）は、反射部材１の反射板の断面図で、凹面にも凸面にも変形できる反射部材１の反射板の構造を説明する。
反射部材１の反射板のベース素材１３は柔軟で簡単に手で湾曲変形させることができる柔軟性のあるプラスチック板である。ベース素材の反射面側に接着剤１４を介し、アルミニウムや耐候性の高い金属を片面に蒸着したプラスチックフィルム１５を貼り付け反射板として構成することで該プラスチックフィルム１５の外気に触れる外側の面が光の反射に寄与する。
【００２１】
また、金属蒸着したプラスチックフィルム１５で構成された反射面は、鏡面であり、片面に金属を蒸着したプラスチックフィルムの蒸着面は傷がつき易いため、該プラスチックフィルムを何枚か複合的に重ねて接着した蒸着フィルムを使用するか、金属蒸着面が接着材１４の側になるように接着し反射板を構成してもよい。
また、両面に金属蒸着したプラスチックフィルムを片面蒸着プラスチックフィルム１５
の代わりに使用し反射板を構成してもよいが、直接風雨にさらされる外側の面には透明な保護フィルムを貼り付ける必要がある。
【００２２】
図３は、車体に反射装置を取り付けた場合の外観図である。
反射部材１を車体１０に取り付ける方法として、反射装置を反射部材１、支柱７および吸盤１１で構成した。反射装置を車体１０の下部に吸盤１１で設置する方法により、反射装置の着脱が短時間で簡単に可能となる。
また、支柱７はフレキシブル配管等を構成部材とすることで、任意位置に自在変形固定可能で、ヘッドライト光１２に対する反射部材１の位置を簡単に調整することができる。
【００２３】
本発明は、特に夜間災害発生時を意識し、即座に照明を準備する目的で短時間で、車のヘッドライトを災害発生場所周辺のサーチライト、あるいは広角照明に利用できることを最大の特徴としている。
尚、上記実施例では反射部材１を車体１０に取り付けたが、地面に置いたスタンドに取り付けてもよい。また、上記実施例では、反射部材１で反射させた光を使用したが、さらに別の第２反射板に反射させて使用してもよい。
【産業上の利用可能性】
【００２４】
本発明は、災害発生の緊急時の夜間作業や避難ルートの照明確保をする場合、また車で避難し宿泊せざるを得ない状況に陥ったときに、野外での照明を容易且つ短時間に提供できる発明である。また、発電機や照明器具なしに車周辺の遠方や車側面の仮設テントに照明を提供でき、防災器具として、また野外イベントに利用価値が高い発明である。
【符号の説明】
【００２５】
１    反射部材
２    ターンバックル
３    ターンバックルのボルト
４    固定ネジ
５    ボール状継ぎ手
６    シャフト
７    支柱
８    反射光
９    反射光
１０    車体
１１    吸盤
１２    ヘッドライトの光
１３    反射部材の反射板のベース素材
１４    接着材
１５    金属蒸着フィルム
【図１】
2020136238.tif 000003
【図２】
2020136238.tif 000004
【図３】
2020136238.tif 000005